(57)【要約】【課題】指定した時刻に携帯電話装置の有する機能を自動的に実行させることを可能とする。【解決手段】実行制御部３０は、動作内容情報３２１に基づいて、設定された時刻に対応して設定された所定の機能の動作内容を判定する設定動作判定手段３１と、設定されて設定時刻格納手段１２に格納されている所定の時刻と、機能部２０に実行させる所定の機能の動作内容とを対応付けて示す動作内容情報３２１を格納する動作内容情報格納手段３２とを有し、タイマー部１０から、設定された時刻になること、または、設定された時刻になったこと、または、設定された時刻に近付いたこと等を通知されると起動し、動作内容情報３２１に基づいて、設定された時刻に対応する所定の処理の実行を機能部２０に要求し、当該所定の機能の実行を制御する機能を有する。【選択図】  図１
2007266671.tif 000002
【特許請求の範囲】
【請求項１】
実行可能な各種機能を備えた携帯装置において、
予め設定された設定日時に対応させて当該設定日時に実行する所定機能の動作内容を定義した動作内容情報に従って、前記設定日時となった時点で前記機能を自動的に実行する制御手段を備えることを特徴とする携帯装置。
【請求項２】
前記設定日時毎の前記動作内容情報を格納する格納部を備えることを特徴とする請求項１に記載の携帯装置。
【請求項３】
前記制御手段が、
前記設定日時または前記設定日時から所定時間間隔で、前記動作内容情報に基づいて前記所定機能の動作の有無を判定することを特徴とする請求項１又は請求項２に記載の携帯装置。
【請求項４】
前記動作内容情報には、前記所定機能の起動、前記所定機能の詳細な動作内容、前記所定機能の終了までの詳細な動作の内容を設定することを特徴とする請求項１から請求項３の何れか１項に記載の携帯装置。
【請求項５】
前記動作内容情報を、任意に追加修正可能に格納することを特徴とする請求項１から請求項４のいずれか１項に記載の携帯装置。
【請求項６】
前記動作内容情報として、前記所定の機能である、周辺機器と通信する赤外線通信機能、カメラによる撮影機能、ネットワーク接続機能、録音機能、メールの送受信機能、電源のオンオフ機能の少なくとも１つまたは複数の機能の起動または停止を含むことを特徴とする請求項１から請求項５の何れか１項に記載の携帯装置。
【請求項７】
前記所定の機能として、音声出力機能または振動機能の制限または停止を含むことを特徴とする請求項１から請求項７のいずれか１項に記載の携帯装置。
【請求項８】
実行可能な各種機能を備えた携帯装置における機能実行方法であって、
予め設定された設定日時に対応させて当該設定日時に実行する所定機能の動作内容を定義した動作内容情報に従って、前記設定日時となった時点で前記機能を自動的に実行することを特徴とする機能実行方法。
【請求項９】
前記設定日時または前記設定日時から所定時間間隔で、前記動作内容情報に基づいて前記所定機能の動作の有無を判定することを特徴とする請求項８に記載の機能実行方法。
【請求項１０】
前記動作内容情報には、前記所定機能の起動、前記所定機能の詳細な動作内容、前記所定機能の終了までの詳細な動作の内容を設定することを特徴とする請求項８又は請求項９に記載の機能実行方法。
【請求項１１】
前記動作内容情報を、任意に追加修正可能に格納することを特徴とする請求項８から請求項１０のいずれか１項に記載の機能実行方法。
【請求項１２】
前記動作内容情報として、前記所定の機能である、周辺機器と通信する赤外線通信機能、カメラによる撮影機能、ネットワーク接続機能、録音機能、メールの送受信機能、電源のオンオフ機能の少なくとも１つまたは複数の機能の起動または停止を含むことを特徴とする請求項８から請求項１１の何れか１項に記載の機能実行方法。
【請求項１３】
前記所定の機能として、音声出力機能または振動機能の制限または停止を含むことを特徴とする請求項８から請求項１２のいずれか１項に記載の機能実行方法。
【請求項１４】
実行可能な各種機能を備えた携帯装置における機能実行プログラムであって、携帯装置を構成するコンピュータに、
予め設定された設定日時に対応させて当該設定日時に実行する所定機能の動作内容を定義した動作内容情報に従って、前記設定日時となった時点で前記機能を自動的に実行させることを特徴とする機能実行プログラム。
【請求項１５】
前記設定日時または前記設定日時から所定時間間隔で、前記動作内容情報に基づいて前記所定機能の動作の有無を判定する処理を実行させることを特徴とする請求項１４に記載の機能実行プログラム。
【請求項１６】
前記動作内容情報には、前記所定機能の起動、前記所定機能の詳細な動作内容、前記所定機能の終了までの詳細な動作の内容を設定することを特徴とする請求項１４又は請求項１５に記載の機能実行プログラム。
【請求項１７】
前記動作内容情報を、任意に追加修正可能に格納することを特徴とする請求項１４から請求項１６のいずれか１項に記載の機能実行プログラム。
【請求項１８】
前記動作内容情報として、前記所定の機能である、周辺機器と通信する赤外線通信機能、カメラによる撮影機能、ネットワーク接続機能、録音機能、メールの送受信機能、電源のオンオフ機能の少なくとも１つまたは複数の機能の起動または停止を含むことを特徴とする請求項１４から請求項１７の何れか１項に記載の機能実行プログラム。
【請求項１９】
前記所定の機能として、音声出力機能または振動機能の制限または停止を含むことを特徴とする請求項１４から請求項１８のいずれか１項に記載の機能実行プログラム。
【発明の詳細な説明】
【技術分野】
【０００１】
本発明は、実行可能な各種機能を備えた携帯装置に関し、特にするものである。
【背景技術】
【０００２】
携帯電話機等の携帯装置としては、多くの機能を搭載したものが普及しつつある。例えば、携帯電話機であれば、本来の通話機能に加えて、電子メール送受信機能、カメラによる撮影機能、赤外線による通信機能、録音機能、スケジュール機能などの様々な機能が搭載されている。
【０００３】
これらの機能は、携帯装置の表示画面に表示されるメニューからユーザが逐次選択して動作させる。
【０００４】
この種の携帯装置としては、例えば、特許文献１に示されるものが存在する。特許文献１に開示される携帯装置においては、タイマー（アラーム）機能を有し、ユーザがある機能を動作させるためにタイマーに日時（時刻）を設定し、その設定日時になるとアラームによって通知される。通知を確認したユーザは、携帯装置を操作することにより予定していた機能を動作させるものである。
【０００５】
【特許文献１】特開２００５−１５１４８２号公報
【発明の開示】
【発明が解決しようとする課題】
【０００６】
しかし、従来の携帯装置は以下に述べるような課題を有する。
【０００７】
第１に、タイマー（アラーム）機能を用いることによって所定の日時に通知を行うだけでは、ユーザが目的とする携帯装置の機能の実行をするため、改めて当該日時に所定の操作をして機能を動作させる必要があることである。
【０００８】
第２に、タイマー（アラーム）機能を用いることによって所定の日時に通知させても、ユーザが当該通知に気付かない場合、あるいは通知を確認できない場合には、目的とする機能を実行することを逸してしまう可能性がある。
【０００９】
（目的）
本発明の目的は、上記課題を解決し、ユーザの設定日時に基づいて所定の機能を自動的に動作させることを可能とする携帯装置、機能実行方法及び機能実行プログラムを提供することにある。
【課題を解決するための手段】
【００１０】
本発明による携帯装置は、実行可能な各種機能を備えた携帯装置において、予め設定された設定日時に対応させて当該設定日時に実行する所定機能の動作内容を定義した動作内容情報に従って、前記設定日時となった時点で前記機能を自動的に実行する制御手段を備えることを特徴とする。
【００１１】
本発明では、前記設定日時毎の前記動作内容情報を格納する格納部を備えることを特徴とする。
【００１２】
また、本発明では、前記制御手段が、前記設定日時または前記設定日時から所定時間間隔で、前記動作内容情報に基づいて前記所定機能の動作の有無を判定することを特徴とする。
【００１３】
また、本発明では、前記処理内容情報には、前記所定機能の起動、前記所定機能の詳細な動作内容、前記所定機能の終了までの動作を設定することを特徴とする。
【発明の効果】
【００１４】
本発明は、ユーザが要求する日時において、ユーザが要求する携帯装置の機能の実行のためにユーザが改めて携帯装置を操作する必要がなく、また、ユーザが要求する日時においてユーザが要求する当該機能の実行を逸することを防止できる。
【００１５】
その理由は、予め設定された設定日時に対応させて当該設定日時に実行する所定機能の動作内容を定義した動作内容情報に従って、当該設定日時となった時点で当該所定機能を自動的に実行する制御手段を備えるため、ユーザが要求する当該所定機能をユーザが要求する日時に自動的に実行するからである。
【発明を実施するための最良の形態】
【００１６】
図１及び図２を用いて本発明の第１の実施の形態による携帯電話装置を説明する。
【００１７】
（第１の実施の形態の構成）
図１は、本発明の第１の実施の形態による携帯電話装置の構成を示すブロック図である。
【００１８】
図１を参照すると、本実施の形態による携帯電話装置１００は、アラームを機能を有するタイマー部１０と、機能部（群）２０に含まれる各種機能の機能制御手段とが、実行制御部３０を介して接続されている。
【００１９】
タイマー部１０は、予め所定の日時（時刻）が設定されることによって、当該所定の時刻になるとアラーム等を出力する一般的なアラーム機能を有するものであり、時刻（日時）を検出する一般的な時計手段１１と、設定された所定の時刻（日時）の情報を格納する設定時刻格納手段１２と、設定された時刻（日時）が時計手段１１で検出された時刻と一致するか否かを判定する一般的な時刻判定手段１３とを備える。
【００２０】
なお、時刻判定手段１３は、設定された時刻（日時）が時計手段１１で検出された時刻から所定の時間内であるか否か等を判定してもよい。
【００２１】
また、タイマー部１０は、時刻判定手段１３の判定の結果に基づいて、設定された時刻（日時）になると、または、設定された時刻の所定時間前の時点で、実行制御部３０に通知を送る。
【００２２】
機能部２０は、通話やデータの入出力に関する機能等、従来の携帯電話装置における一般的な機能を制御する制御手段が含まれており、本実施の形態では、付属のカメラを制御するカメラ制御手段２１と、赤外線を用いて行う近距離間のデータ伝送の制御を行う赤外線通信制御手段２２と、ネットワークを介してデータの送受信や通話を行う通信制御手段２３と、携帯電話装置１００を操作する情報や電話番号を入力するボタンキー等によって構成される入力手段２４と、音声を録音する録音制御手段２５と、携帯電話装置１００の電源のオンまたはオフにする電源制御手段２６と、バイブレーション機能をオンまたはオフにする振動制御手段２７と、アラームや着信音等の音声データを出力する音声出力制御手段２８と、電子メールの送信または受信を行うメール送受信制御手段２９等を有する。
【００２３】
また、機能部２０の各種制御手段は、実行制御部３０から所定の動作の実行を要求されると、実行制御部３０からの制御に基づいて、要求された当該所定の動作内容を実行する。
【００２４】
実行制御部３０は、本発明の特徴的な構成であり、設定動作判定手段３１と、動作内容情報格納手段３２とを有し、タイマー部１０から、設定された時刻となったこと、または、設定された時刻に近付いたこと等を通知されると起動し、設定時刻に対応して予め設定された所定動作の実行を機能部２０の各制御手段に要求し、当該所定の機能の実行を制御する。
【００２５】
設定動作判定手段３１は、動作内容情報格納手段３２に格納された動作内容情報３２１に基づいて、当該設定時刻に対応して設定された所定の機能の動作内容を判定する機能を有する。
【００２６】
動作内容情報格納手段３２は、設定時刻格納手段１２に格納されている設定時刻と、予め定義した機能部２０の制御手段に実行させる各機能の動作内容とを対応付けた動作内容情報３２１を格納する。
【００２７】
設定された所定の時刻に機能部２０の制御手段に実行させる各機能の動作内容は、携帯電話装置１００が有する機能（カメラ制御手段２１、赤外線通信制御手段２２、通信制御手段２３等）毎に、入力手段２４によって入力され、動作内容情報３２１として設定される。
【００２８】
動作内容情報３２１は、入力手段２４からの入力によって任意に追加修正することが可能である。例えば、他の処理に変更することができ、また、設定された他の時刻に実行させるように修正することもできる。
【００２９】
ここで入力される、動作内容情報３２１に設定される動作内容は、所定機能の単一の動作でも複数の動作でもよく、また、複数の動作の場合、同一の動作を複数回実行させるものでもよく、異なる動作を実行させるものでもよく、さらに、機能の起動から終了までの一連の手順を詳細に定義した動作内容でもよい。
【００３０】
ここで、携帯電話装置１００のハードウェア構成の説明をする。
【００３１】
図２は、本実施の形態による携帯電話装置１００のハードウェア構成を示すブロック図である。
【００３２】
図２を参照すると、本発明による携帯電話装置１００は、一般的なコンピュータ処理装置と同様のハードウェア構成によって実現することができ、ＣＰＵ（Ｃｅｎｔｒａｌ  Ｐｒｏｃｅｓｓｉｎｇ  Ｕｎｉｔ）２０１、ＲＡＭ（Ｒａｎｄｏｍ  Ａｃｃｅｓｓ  Ｍｅｍｏｒｙ）等のメインメモリであり、データの作業領域やデータの一時退避領域に用いられる主記憶部２０２、インターネットを介してデータの送受信を行う通信制御部２０３、液晶ディスプレイ、プリンタやスピーカ等の提示部２０４、キーボードやマウス等の入力部２０５（入力手段２４）、周辺機器と接続してデータの送受信を行うインタフェース部２０６、ＲＯＭ（Ｒｅａｄ  Ｏｎｌｙ  Ｍｅｍｏｒｙ）、磁気ディスク、半導体メモリ等の不揮発性メモリから構成されるハードディスク装置である補助記憶部２０７、本情報処理装置の上記各構成要素を相互に接続するシステムバス２０８等を備えている。
【００３３】
本発明による携帯電話装置１００は、その動作を、携帯電話装置１００内部にそのような機能を実現するプログラムを組み込んだ、ＬＳＩ（Ｌａｒｇｅ  Ｓｃａｌｅ  Ｉｎｔｅｇｒａｔｉｏｎ）等のハードウェア部品からなる回路部品を実装してハードウェア的に実現することは勿論として、上記した各構成要素の各機能を提供するプログラムを、コンピュータ処理装置上のＣＰＵ２０１で実行することにより、ソフトウェア的に実現することができる。
【００３４】
すなわち、ＣＰＵ２０１は、補助記憶部２０７に格納されているプログラムを、主記憶部２０２にロードして実行し、携帯電話装置１００の動作を制御することにより、上述した各機能をソフトウェア的に実現する。
【００３５】
（第１の実施の形態の動作）
次に、図３及び図４を用いて本実施の形態による携帯電話装置の動作を説明する。
【００３６】
（動作内容の設定）
図３は、本実施の形態による携帯電話装置が所定の動作内容を設定する際の動作を示すフローチャートである。
【００３７】
まず、所定の日時（時刻）を設定するためのタイマー設定モードにおいて（ステップＳ３０１）、設定時刻格納手段１２が、入力手段２４によって設定された所定の設定時刻を時刻情報として格納する（ステップＳ３０２）。
【００３８】
次いで、所定の機能の動作を設定するための動作内容設定モードにおいて（ステップＳ３０３）、ステップＳ３０２で設定された時刻において実行する所定の機能の動作内容を設定するか否かの確認を行う（ステップＳ３０４）。
【００３９】
ここで、設定を行う場合には（ステップＳ３０４）、設定する所定の機能の動作内容を入力手段２４によって入力し（ステップＳ３０５）、動作内容の入力が終了すると（ステップＳ３０６）、動作内容情報格納手段３２に、設定された動作内容がステップＳ３０２で設定された時刻に対応付けて動作内容情報３２１として格納する（ステップＳ３０７）。これによって、動作内容の設定モードが終了し、次いで、タイマー（アラーム）設定モードが終了する（ステップＳ３０８）。
【００４０】
一方、所定の機能の動作内容を設定するか否かの確認において（ステップＳ３０４）、設定を行わない場合にはそのまま動作内容設定モード及びタイマー（アラーム）設定モードが終了する（ステップＳ３０８）。
【００４１】
図５と図６は、動作内容情報３２１の設定例を示す図である。図５の動作内容情報３２１では、設定時刻として設定した日時毎に、録音機能の開始と終了を動作内容として設定し、その他電源のオフ、メール受信等の動作を設定した場合を示している。なお、複数の異なる機能に関する動作内容を同一の設定時刻に設定することも可能である。
【００４２】
図６の動作内容情報３２１０では、設定時刻として設定した日時毎に、所定の機能の動作内容をより詳細に設定した例であり、録音機能の起動、録音動作における開始時刻と終了時刻及び録音品質、録音したデータの保存動作におけるデータ形式、データ名及び保存場所、録音機能の終了、動作完了の通知といった詳細な動作内容を設定した場合を示している。
【００４３】
（機能の動作内容の実行）
図４は、本実施の形態による携帯電話装置が所定の機能を実行する際の動作を示すフローチャートである。
【００４４】
まず、時刻判定手段１３が、設定時刻の情報が設定時刻格納手段１２に格納されているか否かを判定する（ステップＳ４０１）。
【００４５】
ステップＳ４０１で設定時刻格納手段１２に設定された所定の時刻情報が格納されていない場合には、処理を終了する。
【００４６】
一方、ステップＳ４０１で設定時刻格納手段１２に所定の時刻情報が格納されている場合には、時刻判定手段１３が、時計手段１１で検出された時刻と、設定時刻格納手段１２に格納されている当該所定の時刻情報で示される時刻とに基づいて、現在の時刻が当該設定された時刻である否かを判定し（ステップＳ４０２）、異なる場合には、時刻判定手段１３が、時計手段１１で検出される時刻を数分（例えば、１分）毎に読み出して（ステップＳ４０３）、当該所定の時刻と一致するまでステップＳ４０２の判定手順を繰り返す。
【００４７】
ステップＳ４０２で現在の時刻が設定した時刻と一致する場合は、タイマー部１０が、ステップＳ４０２での判定の結果に基づいて、設定された時刻であることを実行制御部３０に通知することによって実行制御部３０が起動する（ステップＳ４０４）。
【００４８】
実行制御部３０が起動すると、設定動作判定手段３１が、動作内容情報格納手段３２に格納された動作内容情報３２１に基づいて、通知された設定時刻に対応して設定された動作内容を判定する（ステップＳ４０５）。
【００４９】
ステップＳ４０５で当該設定された時刻に対応して所定の機能の動作が存在しない場合、タイマー部１０が当該設定された時刻にアラームを出力するなど、一般的なタイマー（アラーム）機能のみを実行して（ステップＳ４０６）処理を終了する。
【００５０】
一方、ステップＳ４０５で当該設定された時刻に対応して所定の機能の動作が存在する場合、実行制御部３０は、動作内容情報３２１から設定された時刻に対応する当該機能の動作内容を読み出し（ステップＳ４０７）、読み出した当該動作内容に従って、機能部２０の該当する機能の制御手段に指示することにより、当該所定機能の動作内容の実行を制御する（ステップＳ４０８）。
【００５１】
（第１の実施の形態の効果）
以上説明したように、本実施の形態による携帯電話装置１００は、あらかじめ設定した所定の時刻に、自動的に所定の機能の動作を実行することができる。
【００５２】
その理由は、動作内容情報格納手段３２が、設定時刻格納手段１２に格納されている設定時刻と、機能部２０の各機能の制御手段に実行させる所定の動作内容とを対応付けた動作内容情報３２１を格納し、設定された時刻になると、実行制御部３０が、動作内容情報３２１に基づいて、当該設定時刻に対応する機能を動作させるためである。
【００５３】
また、本実施の形態による携帯電話装置１００は、上記と同様の理由によって、予め設定した所定の時刻に、所定の機能を実行することができるため、アラーム等で所定の時刻を通知されたユーザが、当該時刻に予定していた所定の機能を動作させるための操作を省略することができる。
【００５４】
また、本実施の形態による携帯電話装置１００は、予め設定した所定の時刻に、様々な機能を実行することができ、また、任意に実行する機能及びその動作内容を変更することもできる。
【００５５】
その理由は、設定時刻に携帯電話装置１００が有する種々の機能とその動作内容を対応付けて動作内容情報３２１として設定するからである。
【００５６】
本発明の実施により、例えば、以下に示すような利用が可能となる。
【００５７】
あらかじめ設定した時刻において通信制御手段２３を制御することによって、自動的にインターネットに接続し、指定したサイトの画面を閲覧することができ、また、あらかじめ設定した時刻において、インターネットへの接続を自動的に切断できるため、ユーザの操作の手間を省略することや、インターネットに接続する通信費を管理することが可能となる。
【００５８】
また、あらかじめ設定した複数の時刻において、同一の処理を実行することができる。
【００５９】
より具体的には、例えば、あらかじめ設定した複数の時刻において赤外線通信制御手段２３を制御することによって、自動的に赤外線リモコンの機能を起動し、テレビの電源をオンまたはオフにすることができるため、携帯電話装置１００やテレビのリモコンの操作をするユーザの手間を省略することができる。
【００６０】
また、例えば、携帯電話装置１００のユーザが、交通機関を使う時刻や、又は、劇場や医療機関に行く時刻が前もって決まっている場合等は、あらかじめ設定した時刻において電源制御手段２６や振動制御手段２７や音声出力手段２８を制御することによって、自動的に携帯電話装置１００をサイレントモードや電源オフ等にできるため、サイレントモードや電源オフ等にし忘れることを防止できる。
【００６１】
また、例えば、あらかじめ設定した時刻においてメール送受信手段２８を制御することによって、あらかじめ定めた宛先に対し所定の内容の電子メールを自動的に送信することができるため、ユーザは移動先においても電子メールの送信を忘れることを防止でき、また、同様に電子メールの受信を制限することができるので、不意にメール保存エリアの保存容量がいっぱいになり、必要な電子メールの受信ができていない状態を防止することができる。
【００６２】
また、例えば、あらかじめ設定したある時刻からある時刻の間において、自動的に携帯電話装置１００を電源オフにできるため、バッテリを長持ちさせることができ、また、同様に、自動的に携帯電話装置１００を電源オンにできるため、必ず携帯電話装置１００を使用する必要がある時刻が前もって決まっている場合にバッテリ切れで使用できないという状態を回避し、通話や電子メールの送受信等携帯電話装置１００を使用することができる。
【００６３】
また、例えば、あらかじめ設定したある時刻からある時刻の間において録音手段２５を制御することによって、自動的に携帯電話装置１００の録音機能を起動させることができるため、前もって会議等が行われる時刻がわかっている場合に、録音等をし忘れることがない。
【００６４】
また、あらかじめ設定した時刻においてカメラ制御手段２１を制御することによって、カメラのシャッターを自動的に操作することが可能となる。
【００６５】
以上好ましい実施の形態をあげて本発明を説明したが、本発明は必ずしも、上記実施の形態に限定されるものでなく、その技術的思想の範囲内において様々に変形して実施することができる。
【００６６】
例えば、本実施の形態は、時刻及び動作内容を設定された携帯電話装置の機能の実行を制御するものであったが、時刻及び動作内容を設定された携帯電話装置から、当該設定された時刻及び動作内容を示す情報を、当該携帯電話装置と通信可能な他の携帯電話装置に送ることによって、当該他の携帯電話装置の機能の実行を制御してもよい。
【図面の簡単な説明】
【００６７】
【図１】本発明の第１の実施の形態による携帯電話装置の構成を示すブロック図である。
【図２】本実施の形態による携帯電話装置のハードウェア構成を示すブロック図である。
【図３】本実施の形態による携帯電話装置の動作内容を設定する際の動作を示すフローチャートである。
【図４】本実施の形態による携帯電話装置の機能を実行する際の動作を示すフローチャートである。
【図５】本実施の形態による動作内容情報の設定例を示す図である。
【図６】本実施の形態による動作内容情報の他の設定例を示す図である。
【符号の説明】
【００６８】
１０：タイマー部
１１：時計手段
１２：設定時刻格納手段
１３：時刻判定手段
２０：機能部（群）
２１：カメラ制御手段
２２：赤外線通信制御手段
２３：通信制御手段
２４：入力手段
２５：録音制御手段
２６：電源制御手段
２７：振動制御機能
２８：音声出力制御手段
２９：メール送受信制御手段
３０：実行制御部
３１：設定動作判定手段
３２：動作内容情報格納手段
３２１：動作内容情報
１００：携帯電話装置
２０１：ＣＰＵ
２０２：主記憶部
２０３：通信制御部
２０４：提示部
２０５：入力部
２０６：インタフェース部
２０７：補助記憶部
２０８：システムバス
【図１】
2007266671.tif 000003
【図２】
2007266671.tif 000004
【図３】
2007266671.tif 000005
【図４】
2007266671.tif 000006
【図５】
2007266671.tif 000007
【図６】
2007266671.tif 000008